(57)【特許請求の範囲】
【請求項１】
サポートノードと、これらサポートノードを相互接続する内部パケットネットワークとを備え、移動ステーションと、外部ネットワークに接続された当事者との間でデータパケットをプロトコルとは独立して与えるパケット無線ネットワークにおいて、
上記サポートノードの各々は、内部パケットネットワークに向かうパケットネットワークの内部プロトコルを使用するように構成され、
上記サポートノードのうち、移動ステーションにサービスするサポートノードは、無線インターフェイスに向かう無線インターフェイスリンクプロトコルを使用するように構成され、
パケット無線ネットワークを少なくとも１つの外部ネットワークにインターフェイスするゲートウェイサポートノードは、外部ネットワークに向かう外部ネットワークのプロトコルを使用するように構成され、そして
パケット無線ネットワークの内部ルート指定の間に、移動ステーション又は外部ネットワークから受け取られたデータパケットにパケット無線ネットワークの内部プロトコルに基づいてカプセル化が与えられることを特徴とするパケット無線ネットワーク。
【請求項２】
上記サポートノード及び内部パケットネットワークは、１つのコンピュータ又は複数のコンピュータ内にある請求項１に記載のパケット無線システム。
【請求項３】
上記少なくとも１つの外部ネットワークは、別のパケット無線ネットワーク、パケット無線ネットワークを相互接続するネットワーク、及び／又はデータネットワークである請求項２に記載のパケット無線システム。
【請求項４】
上記ゲートウェイサポートノードは、データが外部中枢ネットワークへ送信されるときには、外部ネットワークへ送信されるべきデータパケットを外部ネットワークのプロトコルに基づくパケットにカプセル封入するが、データがデータネットワークへ送信される場合にはデータパケットをカプセル封入しないように構成された請求項２又は３に記載のパケット無線システム。
【請求項５】
上記システムは、移動ステーションのネットワークアドレスをマップする情報を動的なローミング情報と共に維持するためのデータベースを備え、上記動的なローミング情報は、内部プロトコルに基づきカプセル封入された移動着信データパケットへと挿入されて、移動ステーションがエリア内に位置するところの上記サポートノードの１つへ移動着信データパケットをルート指定できるようにする請求項１に記載のパケット無線システム。
【請求項６】
上記システムは、各移動ステーションの識別データをマップする情報を各移動ステーションのネットワークアドレスと共に維持するためのデータベースを備えた請求項１に記載のパケット無線システム。
【請求項７】
サポートノードと、これらのサポートノードを相互接続する内部パケットネットワークとを備えたパケット無線ネットワークにおいて、移動ステーションと、外部ネットワークに接続された当事者との間でパケットをプロトコルとは独立してルート指定する方法において、
上記サポートノードの各々において内部パケットネットワークに向かうパケットネットワークの内部プロトコルを使用し、
上記サポートノードのうち、移動ステーションにサービスするサポートノードを使用し、これら移動ステーションにサービスするサポートノードにおいて無線インターフェイスに向かう無線インターフェイスリンクプロトコルを使用するように構成され、
パケット無線ネットワークを少なくとも１つの外部ネットワークにインターフェイスするゲートウェイサポートノードにおいて外部ネットワークに向かう外部ネットワークのプロトコルを使用し、
移動ステーション又は外部ネットワークから受け取ったデータパケットをパケット無線ネットワークのプロトコルに基づいてカプセル化し、
カプセル化されたデータパケットをパケット無線ネットワークにおいてパケット無線ネットワークのプロトコルに基づいてルート指定し、そして
データパケットがパケット無線ネットワークから外部ネットワークへ転送されるときに、パケット無線ネットワークのプロトコルに基づくカプセル化を剥離するという段階を備えたことを特徴とする方法。
【請求項８】
移動ステーションがそのホームパケット無線ネットワーク内に配置されたときに送信者から外部ネットワークを経て移動着信データパケットをルート指定する方法において、
送信者によりデータパケットを第１プロトコルに基づいて送信し、このデータパケットは、移動ステーションに対する第１プロトコルに基づくネットワークアドレスを含み、
上記第１プロトコルに基づくルート指定を使用することによりデータパケットを１つ以上の外部ネットワークを経て移動ステーションのホームネットワークのゲートウェイサポートノードへルート指定し、
ゲートウェイサポートノードにより第１プロトコルのデータパケットをホームネットワークの内部プロトコルに基づいてカプセル封入し、
ゲートウェイサポートノードによりそのカプセル封入されたデータパケットを移動ステーションのホームサポートノードに送信し、
移動ステーションのホームサポートノードにより、第１プロトコルの上記移動ステーションネットワークアドレスによって移動ステーションのローミング番号を決定し、
ホームサポートノードにより、ホームネットワーク内のローミング番号で指示されたサポートノードへカプセル封入されたデータパケットをルート指定し、
上記サポートノードによりホームネットワークの内部プロトコルに基づくカプセル封入を剥離し、そしてデータパケットを無線インターフェイスを経て移動ステーションへ、特殊な無線リンクプロトコルに基づきカプセル封入されたものとして送信し、そして
移動ステーションにより無線リンクプロトコルに基づくカプセル封入を剥離するという段階を備えたことを特徴とする方法。
【請求項９】
移動加入者がそのホームパケット無線ネットワークに位置しているか又は受信者のプロトコルをサポートするパケット無線ネットワークを訪れているときに外部データネットワークを経て受信者へ移動発信データパケットをルート指定する方法において、
移動ステーションにより特殊な無線リンクプロトコルに基づき第１プロトコルのデータパケットをカプセル封入し、上記データパケットは、受信者に対する第１プロトコルのネットワークアドレスを含み、
移動ステーションにより、無線リンクプロトコルに基づきカプセル封入されたデータパケットを無線インターフェイスを経てパケット無線ネットワークの移動ステーションにサービスするサポートノードへ送信し、
上記サービスするノードにより、無線リンクプロトコルに基づくカプセル封入を剥離し、そしてパケット無線ネットワークの内部プロトコルに基づき第１プロトコルのデータパケットをカプセル封入し、
上記サービスするノードにより、上記カプセル封入されたデータパケットを上記内部プロトコルに基づきパケット無線ネットワークのゲートウェイサポートノードへルート指定し、
上記ゲートウェイサポートノードにより上記カプセル封入を剥離すると共に、第１プロトコルに基づくデータパケットを第１プロトコルを用いて外部データネットワークへ送り、そして
外部データネットワークによりデータパケットを第１プロトコルに基づき受信者へ送る、
という段階を備えたことを特徴とする方法。
【請求項１０】
移動ステーションがそのホームパケット無線ネットワークの外側に位置しそしてパケット無線ネットワーク間のルート指定が必要とされるときに移動着信データパケットをルート指定する方法において、
送信者により第１プロトコルに基づきデータパケットを送信し、このデータパケットは、移動ステーションに対する第１プロトコルに基づくネットワークアドレスを含み、
第１プロトコルに基づくルート指定を使用することにより１つ以上の外部ネットワークを経て移動ステーションのホームネットワークのゲートウェイサポートノードへデータパケットをルート指定し、
ゲートウェイサポートノードによりホームネットワークの内部プロトコルに基づき第１プロトコルのデータパケットをカプセル封入し、
ゲートウェイサポートノードにより移動ステーションのホームサポートノードへカプセル封入されたデータパケットを送信し、
移動ステーションのホームサポートノードにより、第１プロトコルの上記移動ステーションネットワークアドレスによって移動ステーションのローミング番号を決定し、このローミング番号は、非当該パケット無線ネットワークのノードを指示し、
ホームサポートノードにより、ホームネットワークのゲートウェイサポートノードへカプセル封入されたデータパケットをルート指定し、
ホームネットワークのゲートウェイサポートノードにより、ホームネットワークの内部プロトコルに基づくカプセル封入を剥離し、そしてホームネットワークと非当該パケット無線ネットワークとの間のネットワーク間トラフィックに使用されるプロトコルに基づき第１プロトコルのデータパケットをカプセル封入し、ホームネットワークのゲートウェイサポートノードにより、カプセル封入されたデータパケットを非当該ネットワークのゲートウェイサポートノードへルート指定し、
非当該ネットワークのゲートウェイサポートノードによりネットワーク間プロトコルに基づくカプセル封入を剥離し、そして非当該ネットワークの内部プロトコルに基づき第１プロトコルのデータパケットをカプセル封入し、
非当該ネットワークのゲートウェイサポートノードにより上記カプセル封入されたデータパケットを非当該ネットワークにおけるローミング番号で指示されたサポートノードへルート指定し、
非当該ネットワークの上記サポートノードにより非当該ネットワークの内部プロトコルに基づくカプセル封入を剥離し、そしてデータパケットを無線インターフェイスを経て移動ステーションへ特殊な無線リンクプロトコルに基づきカプセル封入されたものとして送信し、そして
移動ステーションにより、無線リンクプロトコルに基づくカプセル封入を剥離する、
という段階を備えたことを特徴とする方法。
【請求項１１】
移動ステーションが、ホームパケット無線ネットワークの外側で、移動ステーションにより使用される第１プロトコルをサポートしない非当該パケット無線ネットワークに位置するときに外部データネットワークを経て受信者へ移動発信データパケットをルート指定する方法において、
移動ステーションにより特殊な無線リンクプロトコルに基づき第１プロトコルのデータパケットをカプセル封入し、上記データパケットは、受信者に対する第１プロトコルに基づくネットワークアドレスを含み、
移動ステーションにより、無線リンクプロトコルに基づきカプセル封入されたデータパケットを無線インターフェイスを経て、非当該パケット無線ネットワークにおける移動ステーションにサービスするサポートノードに送信し、
上記サービスするノードにより、無線リンクプロトコルに基づくカプセル封入を剥離し、そして第１プロトコルのデータパケットを非当該ネットワークの内部プロトコルに基づきカプセル封入し、
上記サービスするノードにより、上記カプセル封入されたデータパケットを上記内部プロトコルに基づき非当該無線ネットワークのゲートウェイサポートノードへルート指定し、
非当該無線ネットワークのゲートウェイサポートノードにより非当該無線ネットワークの内部プロトコルに基づくカプセル封入を剥離し、そして非当該ネットワークと移動ステーションのホームネットワークとの間のネットワーク間トラフィックに使用されるプロトコルに基づき第１プロトコルのデータパケットをカプセル封入し、
非当該無線ネットワークのゲートウェイサポートノードにより上記カプセル封入されたデータパケットをホームネットワークのゲートウェイサポートノードへルート指定し、
ホームネットワークのゲートウェイサポートノードによりネットワーク間プロトコルに基づくカプセル封入を剥離し、そして
上記第１プロトコルをサポートするホームネットワークのゲートウェイサポートノードにより、第１プロトコルに基づくルート指定機構を使用することによりデータパケットを第１プロトコルの外部データネットワークにルート指定する、という段階を備えたことを特徴とする方法。
【請求項１２】
移動ステーションが、ホームパケット無線ネットワークの外側で、移動ステーションにより使用される第１プロトコルをサポートしない非当該パケット無線ネットワークに位置するときに第２のパケット無線ネットワーク及び外部データネットワークを経て受信者へ移動発信データパケットをルート指定する方法において、
移動ステーションにより特殊な無線リンクプロトコルに基づき第１プロトコルのデータパケットをカプセル封入し、上記データパケットは、受信者に対する第１プロトコルに基づくネットワークアドレスを含み、
移動ステーションにより、無線リンクプロトコルに基づきカプセル封入されたデータパケットを無線インターフェイスを経て、非当該パケット無線ネットワークにおける移動ステーションにサービスするサポートノードに送信し、
上記サービスするノードにより、無線リンクプロトコルに基づくカプセル封入を剥離し、そして第１プロトコルのデータパケットを非当該ネットワークの内部プロトコルに基づきカプセル封入し、
上記サービスするノードにより、上記カプセル封入されたデータパケットを上記内部プロトコルに基づき非当該無線ネットワークのゲートウェイサポートノードへルート指定し、
非当該無線ネットワークのゲートウェイサポートノードにより非当該無線ネットワークの内部プロトコルに基づくカプセル封入を剥離し、そして非当該ネットワークと第２の非当該パケット無線ネットワークとの間のネットワーク間トラフィックに使用されるプロトコルに基づき第１プロトコルのデータパケットをカプセル封入し、上記第２ネットワークは、第１プロトコルをサポートし、
非当該無線ネットワークのゲートウェイサポートノードにより上記カプセル封入されたデータパケットを第２の非当該ネットワークのゲートウェイサポートノードへルート指定し、
第２の非当該ネットワークのゲートウェイサポートノードによりネットワーク間プロトコルに基づくカプセル封入を剥離し、そして
上記第１プロトコルをサポートする第２の非当該ネットワークのゲートウェイサポートノードにより、第１プロトコルに基づくルート指定機構を使用することによりデータパケットを第１プロトコルの外部データネットワークにルート指定する、
という段階を備えたことを特徴とする方法。
【請求項１３】
上記サポートノード及び内部パケットネットワークは、１つのコンピュータ又は複数のコンピュータ内にある請求項７ないし１２のいずれかに記載の方法。
【請求項１４】
ホームサポートノードを外部ネットワークに向かうゲートウェイノードとして使用する請求項７ないし１２のいずれかに記載の方法。
【請求項１５】
パケット無線ネットワークのための移動ステーションにおいて、
サービスを提供するパケット無線ネットワークにおいてサポートされていない第１のプロトコルの移動発信データパケットを提供する手段であって、上記データパケットは、上記第１のプロトコルをサポートする受信当事者のための上記第１のプロトコルのネットワークアドレスを含んでいる、上記提供する手段と、
上記第１のプロトコルの上記データパケットを、上記サービスを提供するパケット無線ネットワークによってサポートされている特別の無線リンクプロトコルに基づいてカプセル化する手段と、
上記無線リンクプロトコルに基づいてカプセル化された上記データパケットを、無線インタフェースを通じて、上記パケット無線ネットワークの上記移動ステーションにサービスするサポートノードへ送信し、これにより、上記移動ステーションから上記パケット無線ネットワークを通じた第２のネットワークの上記受信当事者への、上記データパケットのプロトコルとは独立のルート指定を可能とする手段と、
を備えることを特徴とする移動ステーション。
【請求項１６】
パケット無線ネットワークのためのサービスサポートノードにおいて、
上記サービスサポートノードによってサポートされている特別の無線リンクプロトコルに基づいてカプセル化されたデータパケットを移動ステーションから受け取る手段であって、上記データパケットは上記サービスサポートノードによってサポートされていない第１のプロトコルとなっており、上記データパケットは上記第１のプロトコルをサポートする受信当事者のための上記第１のプロトコルのネットワークアドレスを含んでいる、上記受け取る手段と、
受け取った、上記第１のプロトコルのデータパケットのカプセル化を剥離する手段と、
上記第１のプロトコルの上記データパケットを上記パケット無線ネットワークの内部プロトコルに基づいてカプセル化する手段と、
上記カプセル化されたデータパケットを、上記パケット無線ネットワークのゲートウェイサポートノードへ上記内部プロトコルに基づいて送信する手段と、
を備えることを特徴とするサポートノード。
【発明の詳細な説明】
発明の分野
本発明は、パケット無線ネットワークの移動ステーションと、外部ネットワークに接続された当事者との間でプロトコルとは独立してデータパケットをルート指定する方法に係る。
先行技術の説明
移動通信システムは、人々がその有効到達範囲を失わずに固定の電話ターミナルから自由に離れられるという必要性から開発された。オフィスでは種々のデータ送信サービスの利用が増加したが、移動通信システムにも種々のデータサービスが導入されている。ポータブルコンピュータは、ユーザがどこに移動しても効率的にデータを処理することができる。移動通信ネットワークについては、移動データ送信のための実際のデータネットワークに対して効率的なアクセスネットワークをユーザに与える。これを行うために、既存の及び将来の移動通信ネットワークに対して異なる新規なデータサービスが設計されている。パンヨーロピアン移動通信ネットワークＧＳＭ（移動通信用のグローバルなシステム）のようなデジタル移動通信システムは、移動データ送信を特に良好にサポートする。
汎用パケット無線サービスＧＰＲＳは、ＧＳＭシステムにおける新規なサービスであり、ＥＴＳＩ（ヨーロピアンテレコミュニケーション規格協会）におけるＧＳＭフェーズ２＋の標準化活動の１項目である。ＧＰＲＳの運営環境は、ＧＰＲＳの中枢ネットワークにより相互接続された１つ以上のサブネットワークサービスエリアで構成される。サーブネットワークは、ここでＧＰＲＳサポートノード（又はエージェント）と称する多数のパケットデータサービスノードを備え、各パケットデータサービスノードは、多数のベースステーション即ちセルを経て移動データターミナル装置のためのパケットデータサービスを提供できるようにＧＳＭ移動通信ネットワークに接続される。中間の移動通信ネットワークは、サポートノードと移動データターミナル装置との間の回路交換又はパケット交換データ送信を与える。公衆交換パケットデータネットワークＰＳＰＤＮのような外部データネットワークに異なるサブネットワークが接続される。従って、ＧＰＲＳサービスは、移動データターミナル装置と外部データネットワークとの間にパケットデータ送信を発信し、ＧＳＭネットワークは、アクセスネットワークとして働く。ＧＰＲＳサービスネットワークの１つの特徴は、ＧＳＭネットワークとはほとんど独立して動作することである。ＧＰＲＳサービスに対して設定される要求の１つは、異なる形式の外部ＰＳＰＤＮ、例えば、インターネット又はＸ．２５ネットワークと共に動作しなければならないことである。換言すれば、ＧＰＲＳサービス及びＧＳＭネットワークは、ＧＳＭネットワークを経てどの形式のデータネットワークに登録したいかに関わりなく、全てのユーザにサービスできねばならない。これは、ＧＳＭネットワーク及びＧＰＲＳサービスが、異なるネットワークアドレス及びデータパケットフォーマットをサポートしそして処理しなければならないことを意味する。データパケットのこの処理は、パケット無線ネットワークにおいてデータパケットをルート指定することも含む。更に、ユーザは、ＧＰＲＳホームネットワークから、他のＧＰＲＳネットワークへ、即ちオペレータの中枢ネットワークがホームネットワークのプロトコル（例えば、Ｘ．２５）とは異なるプロトコル（例えば、ＣＬＮＰ）をサポートする他のネットワークへローミングすることができねばならない。
発明の要旨
本発明の目的は、パケット無線システムにおいて異なるプロトコルのデータパケットをルート指定することである。
これは、移動ステーションと、外部ネットワークに接続された当事者との間でデータパケットをプロトコルとは独立してルート指定するパケット無線ネットワークにより達成される。このパケット無線ネットワークは、本発明によれば、パケット無線ネットワークの内部ルート指定において、移動ステーション又は外部ネットワークから受け取られたデータパケットがパケット無線ネットワークの内部プロトコルに基づいてカプセル化されることを特徴とする。
又、本発明は、パケット無線ネットワークにおいて移動ステーションと、外部ネットワークに接続された当事者との間でパケットをプロトコルとは独立してルート指定する方法にも係る。この方法は、本発明によれば、移動ステーション又は外部ネットワークから受け取ったデータパケットをパケット無線ネットワークのプロトコルに基づいてカプセル化し；カプセル化されたデータパケットをパケット無線ネットワークにおいてパケット無線ネットワークのプロトコルに基づいてルート指定し；そしてデータパケットがパケット無線ネットワークから、そのパケット無線ネットワークとは異なるプロトコルを有する外部ネットワークへ転送されるときに、パケット無線ネットワークのプロトコルに基づいてカプセルを剥離するという段階を備えたことを特徴とする。
又、本発明は、移動ステーションがそのホームパケット無線ネットワークに配置されたときに送信者から外部ネットワークを経て移動着信データパケットをルート指定するための請求項７に記載の方法にも係る。
又、本発明は、移動加入者がそのホームパケット無線ネットワークに位置しているか又は受信者のプロトコルをサポートするパケット無線ネットワークを訪れているときに、外部ネットワークを経て受信者へ移動発信データパケットをルート指定するための請求項８に記載の方法にも係る。
又、本発明は、移動ステーションがそのホームパケット無線ネットワークの外側に位置しそしてパケット無線ネットワーク間のルート指定が必要とされるときに、移動着信データパケットをルート指定するための請求項９に記載の方法にも係る。
又、本発明は、移動ステーションが、ホームパケット無線ネットワークの外側で、移動ステーションにより使用される第１プロトコルをサポートしない非当該パケット無線ネットワークに位置するときに、外部データネットワークを経て受信者へ移動発信データパケットをルート指定するための請求項１０に記載の方法にも係る。
又、本発明は、移動ステーションが、ホームパケット無線ネットワークの外側で、移動ステーションにより使用される第１プロトコルをサポートしない非当該パケット無線ネットワークに位置するときに、第２のパケット無線ネットワーク及び外部データネットワークを経て受信者へ移動発信データパケットをルート指定するための請求項１１に記載の方法にも係る。
本発明において、非当該プロトコルのデータパケットは、別のプロトコルを用いるパケット無線ネットワークを経て、この別のプロトコルに基づくデータパケットにカプセル封入されて転送される。従って、転送を行うパケット無線ネットワークは、転送される非当該データパケットのプロトコルを理解する必要もないし、データパケットの内容を解釈できなくてもよい。データパケットネットワークは、ゲートウェイノードを経てパケットデータネットワーク間で他のデータパケットネットワーク、データネットワーク又は中枢ネットワークに接続され、ゲートウェイノードは、専用のパケットネットワークに向かうネットワーク内プロトコル及び他のネットワークに向かう各ネットワークのプロトコルを使用する。データパケットがゲートウェイノードを経てあるネットワークから別のネットワークへ転送されるときに、データパケットは、新たなネットワークのプロトコルに基づくパケットにカプセル封入される。データパケットが手前のネットワークにおいてもカプセル化されている場合は、この手前のカプセル化が新たなカプセル化の前に剥離される。カプセル化されたデータパケットが、そのカプセル化されたデータパケットのプロトコルをサポートするノードに到着すると、カプセル化が剥離され、そしてデータパケットがそのデータパケットのプロトコルに基づいてルート指定される。カプセル化されたパケットをゲートウェイノードに送るサポートノード又はホームノードは、ゲートウェイノードがそのカプセル化されたパケットのプロトコルをサポートするかどうか知る必要がない。
本発明によれば、移動着信又は移動発信データパケットは、１つ以上のパケット無線ネットワーク又はそれらを接続するネットワークを経てルート指定することができ、いずれのネットワークも、移動ステーションにより使用されるプロトコルをサポートする必要はない。データパケットは、非当該プロトコルを使用する各ネットワークにおいて単に再カプセル化されるだけである。しかしながら、本発明は、異なるオペレータのパケット無線ネットワーク及びそれらを接続するネットワークを互いに異なるプロトコルによって実施することができ、異なるオペレータのネットワークにおける移動ステーションのローミング及びデータパケットのルート指定を妨げることはない。
移動ステーションのホームパケットデータネットワークのホームサポートノードには、例えば、ＩＰネットワーク、Ｘ．２５ネットワーク、ＣＬＮＰネットワーク又は多数のこれらネットワークにおける移動ステーションのネットワークアドレスを同時にマップすると共に、移動ステーションのローミング番号をマップするデータベースが設けられる。ローミング番号は、移動ステーションがそのエリアに位置するところのサポートノードの識別子と、移動ステーションの登録又は位置更新に関連して上記サポートノードから受け取られる移動ステーションの一時的なリンクレベル識別子とを含む。ローミング番号は、オペレータに使用される中枢ネットワークプロトコルとは独立している。移動ステーションは、多数のプロトコルを有してもよいし、同じプロトコルで多数のアドレスを有してもよい。又、本発明は、いわゆる仮想移動ステーションも実施でき、即ち１つの移動ステーションが多数のユーザにより使用され、各ユーザは、同じ移動ステーションのローミング番号においてマップされた専用のネットワークアドレスを有し、これにより、１つの移動ステーションが多数の移動ステーションのように「見える」。本発明のカプセル化手順により、外部ネットワークから到着するデータパケットは、常に、パケットのプロトコルとは独立して、移動ステーションのホームサポートノードにルート指定することができ、そしてそこから、データパケットに含まれた移動ステーションネットワークアドレスにより見出されるローミング番号によって移動ステーションへ送ることができる。移動ステーションのネットワークアドレス（例えば、ＩＰアドレス、Ｘ．２５アドレス及び／又はＣＬＮＰアドレス）と、移動ステーションのローミング番号との間のマッピングは、移動ステーションが１つのサポートノードのエリアから別のサポートノードのエリアへ移動するたびにローミング番号が変化するので、動的である。
又、本発明によれば、非当該ネットワークに位置する移動ステーションから発信されるデータパケットのルートを短縮することもできる。
【図面の簡単な説明】
以下、添付図面を参照して、本発明の好ましい実施形態を詳細に説明する。
図１は、本発明による２つのＧＰＲＳネットワークと、それらに関連したデータネットワークとを示す図である。
図２は、本発明の移動着信パケットのルート指定を示すブロック図である。
図３は、本発明の移動着信パケットのルート指定を示す信号図である。
図４は、本発明の移動発信パケットのルート指定を示すブロック図である。
図５は、本発明の移動発信パケットのルート指定を示す信号図である。
図６は、移動ステーションが非当該ＧＰＲＳネットワークに位置しているときの本発明による移動着信パケットのルート指定を示すブロック図である。
図７は、移動ステーションが非当該ＧＰＲＳネットワークに位置しているときの本発明による移動着信パケットのルート指定を示す信号図である。
図８は、移動ステーションが、その移動ステーションのプロトコルをサポートする非当該ＧＰＲＳネットワークに位置しているときの本発明による移動発信パケットのルート指定を示すブロック図である。
図９は、移動ステーションが、その移動ステーションのプロトコルをサポートする非当該ＧＰＲＳネットワークに位置しているときの本発明による移動発信パケットのルート指定を示す信号図である。
図１０は、移動ステーションが非当該ＧＰＲＳネットワークに位置しそしてパケットがホームネットワークを経て送られるときの本発明による移動発信パケットのルート指定を示すブロック図である。
図１１は、移動ステーションが非当該ＧＰＲＳネットワークに位置しそしてパケットがホームネットワークを経て送られるときの本発明による移動発信パケットのルート指定を示す信号図である。
図１２は、移動ステーションが非当該ネットワークに位置しそしてパケットが第３のネットワークを経てルート指定されるときの本発明による移動発信パケットのルート指定を示すブロック図である。
図１３は、移動ステーションが非当該ネットワークに位置しそしてパケットが第３のネットワークを経てルート指定されるときの本発明による移動発信パケットのルート指定を示す信号図である。
好ましい実施形態の詳細な説明
本発明は、種々の形式のパケット無線システムにおいてデータパケットをルート指定するのに使用することができる。本発明は、パンヨーロピアン移動通信システムＧＳＭ（移動通信用のグローバルシステム）又はそれに対応するデジタルシステム、例えば、ＤＣＳ１８００及びＰＣＮ（パーソナル通信ネットワーク）において汎用パケット無線サービス（ＧＰＲＳ）を実施するのに特に良好に使用できる。以下、本発明の好ましい実施形態は、ＧＰＲＳサービス及びＧＳＭシステムより成るＧＰＲＳパケット無線ネットワークにより説明するが、本発明は、このような特定のパケット無線システムに限定されるものではない。
図１は、ＧＰＲＳパケット無線ネットワーク、ローカルネットワーク、データネットワーク等を含むテレコミュニケーションシステムを示す。図１は、オペレータ１及びオペレータ２の２つのＧＰＲＳオペレータを示し、その各々は、２つのＧＰＲＳサポートノード（ＧＰＲＳ  ＳＮ）と、１つのＧＰＲＳホームサポートノード（ＧＰＲＳ  ＨＳＮ）と、ＧＰＲＳゲートウェイサポートノード（ＧＰＲＳ  ＧＳＮ）と、インターワーキングファンクション（ＩＷＦ）とを有する。これら異なるサポートノードＧＰＲＳ  ＳＮ、ＧＰＲＳ  ＨＳＮ及びＧＰＲＳ  ＧＳＮは、オペレータ内中枢ネットワークによって相互接続される。
各サポートノードＧＰＲＳ  ＳＮは、セルラーパケット無線ネットワークの１つ以上のセルのエリア内のパケットデータサービスを制御する。このため、各サポートノードＧＰＲＳ  ＳＮは、ＧＳＭ移動システムのあるローカル部分に接続される。この接続は、一般的に、移動交換機に設けられるが、ある状態においては、ベースステーションシステムＢＳＳ、即ちベースステーションコントローラＢＳＣ又は１つのベースステーションＢＴＳにこの接続を直接設けるのが好都合である。あるセルに位置する移動ステーションＭＳは、無線インターフェイスを経てベースステーションＢＴＳと通信し、そして更に、移動通信ネットワークを経て、セルがそのサービスエリアに属するところのサポートノードＧＰＲＳＳＮとも通信する。原理的には、サポートノードＧＰＲＳ  ＳＮと移動ステーションＭＳとの間に存在する移動通信ネットワークは、単に、これら２つの間にパケットを供給する。これを行うために、移動通信ネットワークは、移動ステーションＭＳとサービスサポートノードＧＰＲＳ  ＳＮとの間に回路交換接続又はパケット交換データパケット送信を与える。移動ステーションＭＳとサポートノード（エージェント）との間の回路交換接続の例が、フィンランド特許出願第９３４１１５号に示されている。又、移動ステーションＭＳとサポートノード（エージェント）との間のパケット交換データ送信の例が、フィンランド特許出願第９４０３１４号に示されている。しかしながら、移動通信ネットワークは、移動ステーションＭＳとサポートノードＧＰＲＳ  ＳＮとの間の物理的な接続を単に与えるに過ぎず、その厳密な動作及び構造は、本発明に関しては、本質的な意義をもたない。ＧＳＭシステムの詳細な説明に関しては、ＥＴＳＩ／ＧＳＭ仕様、及び「移動通信用のＧＳＭシステム(The GSM System for Mobile Communications)」Ｍ．モーリ及びＭ．ポーテット、パライゼウ、フランス、１９９２年、ＩＳＢＮ：２−９５０７１９０−０７−７を参照されたい。
移動データターミナル装置を構成する典型的な移動ステーションは、移動通信ネットワークの移動ステーション３（ＭＳ）と、この移動ステーションＭＳのデータインターフェイスに接続されたポータブルコンピュータ４とを含む。移動ステーション３は、例えば、フィンランドのノキア・モービル・フォーン社で製造されているノキア２１１０である。これも又、ノキア・モービル・フォーン社で製造されているＰＣＭＣＩＡ型のノキアセルラーデータカードにより、移動ステーションは、ＰＣＭＣＩＡカード位置が与えられたポータブルＰＣに接続することができる。従って、ＰＣＭＣＩＡカードは、ＰＣ４に使用されるテレコミュニケーションアプリケーションのプロトコル、例えば、ＣＣＩＴＴ  Ｘ．２５又はインターネットプロトコルＩＰをサポートするアクセスポイントをＰＣに与える。或いは又、移動ステーションが、ＰＣ４のアプリケーションにより使用されるプロトコルをサポートするアクセスポイントを直接与えてもよい。更に、移動ステーション３及びＰＣ４が１つのユニットに統合されて、その中で、アプリケーションプログラムに、それが使用するプロトコルをサポートするアクセスポイントが与えられてもよい。
ホームサポートノードＧＰＲＳ  ＨＳＮは、ＧＰＲＳ移動ステーションの位置情報を記憶しそしてＧＰＲＳ移動ステーションを確証するのに使用される。又、ＧＰＲＳ  ＨＳＮは、移動着信（ＭＴ）データパケットをルート指定する。又、ＧＰＲＳ  ＨＳＮは、例えば、ＩＰネットワーク、Ｘ．２５ネットワーク、ＣＬＮＰネットワーク又は多数のこれらネットワークにおける移動ステーションのネットワークアドレスを同時にマップすると共に、移動ステーションのＧＰＲＳローミング番号ＧＰＲＳ−ＭＲＮＢをマップするデータベースを備えている。ＧＰＲＳローミング番号は、移動ステーションが現在そのエリアに位置するところのＧＰＲＳサポートノードＧＰＲＳ  ＳＮの識別子と、移動ステーションの登録又は位置更新に関連して上記サポートノードＧＰＲＳ  ＳＮから受け取られる移動ステーションの一時的なリンクレベル識別子ＴＬＬＩとを含む。移動ステーションのネットワークアドレス（例えば、ＩＰアドレス、Ｘ．２５アドレス及び／又はＣＬＮＰアドレス）と、移動ステーションのローミング番号ＧＰＲＳ−ＭＲＮＢとの間のマッピングは、移動ステーションが１つのサポートノードＧＰＲＳ  ＳＮのエリアから別のサポートノードのエリアへ移動するたびにローミング番号が変化するので、動的である。移動ステーションが１つのサポートノードＧＰＲＳ  ＳＮのエリア内で１つのセルから別のセルへ移動するときには、サポートノードＧＰＲＳ  ＳＮにおける位置の更新のみを行えばよく、ホームサポートノードＧＰＲＳ  ＨＳＮに位置の変化を通知する必要はない。移動ステーションが同じオペレータのエリア内で１つのサポートノードＧＰＲＳ  ＳＮのセルから別のＧＰＲＳ  ＳＮのセルへ移動するときには、ホームサポートノードＧＰＲＳ  ＨＳＮにおいても更新が行われ、新たに訪問するサポートノードの識別子と、移動ステーションの新たなローミング番号ＧＰＲＳ−ＭＲＮＢとを記憶する。移動ステーションが１つのオペレータのエリア内に位置するセルから別のオペレータのエリア内の位置するセルへと移動するときには、移動ステーションの新たなローミング番号ＧＰＲＳ−ＭＲＮＢと、訪問されるサポートノードの新たな識別子とが、移動ステーションのホームサポートノードＧＰＲＳ  ＨＳＮにおいて更新される。従って、移動ステーションの登録プロセスは、１つのオペレータのエリア内では、原理的に同じである。
オペレータの装置ＧＰＲＳ  ＨＳＮ、ＧＰＲＳ  ＳＮ及びＧＰＲＳ  ＧＳＮを相互接続するオペレータ内中枢ネットワークは、例えば、ローカルネットワークで実施される。又、例えば、全ての特徴を単一のコンピュータで実施することによりオペレータ内中枢ネットワークをもたずにオペレータのＧＰＲＳネットワークを実施することもできるが、このような変更は、本発明のルート指定プロトコルが作用する仕方の変更を与えるものでないことに注意されたい。
ＧＰＲＳゲートウェイサポートノードＧＰＲＳ  ＧＳＮは、オペレータをＧＰＲＳネットワークの他のオペレータのＧＰＲＳシステムに接続すると共に、オペレータ間中枢ネットワーク、ＩＰネットワーク又はＸ．２５ネットワークのようなデータネットワークに接続する。ゲートウェイサポートノードＧＰＲＳ  ＧＳＮと他のネットワークとの間にはインターワーキングファンクションＩＷＦが設けられる。ＧＰＲＳネットワークは、ゲートウェイサポートノードＧＰＲＳ  ＧＳＮをもたずに実施できるが、このような場合には、全てのサポートノードＧＰＲＳ  ＳＮ及びホームサポートノードＧＰＲＳ  ＨＳＮが、他のオペレータのゲートウェイサポートノードＧＰＲＳ  ＧＳＮと同じプロトコルをオペレータ間中枢ネットワークに向かって使用しなければならない。
オペレータ間中枢ネットワークは、異なるオペレータのゲートウェイサポートノードＧＰＲＳ  ＧＳＮがそれを経て互いに通信できるネットワークである。この通信は、異なるＧＰＲＳネットワーク間にＧＰＲＳローミングをサポートするために必要となる。このオペレータ間中枢ネットワークは、両当事者のゲートウェイサポートノードＧＰＲＳ  ＧＳＮがオペレータ間中枢ネットワークに向かって同じプロトコルを使用する限り、例えば、Ｘ．２５、ＩＰ、ＣＬＮＰ又は他のネットワークを用いることにより実施することができる。
例えば、オペレータ間中枢ネットワークがＩＰネットワークである場合には、オペレータ１は、Ｘ．２５ネットワークを内部で使用し（オペレータ１のオペレータ内中枢ネットワークにおいて）、オペレータ２は、ＣＬＮＰネットワークを内部で使用する（オペレータ２のオペレータ内中枢ネットワークにおいて）。従って、オペレータ１のゲートウェイサポートノードＧＰＲＳ  ＧＳＮは、Ｘ．２５プロトコルをローカルで使用すると共に、ＩＰプロトコルをインターワーキングファンクションＩＷＦを経てオペレータ間中枢ネットワークに向かって使用しなければならない。これに対応して、オペレータ２のゲートウェイサポートノードＧＰＲＳ  ＧＳＮは、ＣＬＮＰプロトコルをローカルで使用すると共に、ＩＰプロトコルをインターワーキングファンクションＩＷＦを経て使用しなければならない。
又、図１に示すように、ホストコンピュータＨｏｓｔがローカルネットワークに接続され、そしてローカルネットワークが更にルータを経てＩＰＸネットワークに接続される。又、Ｘ．２５ネットワークのような他のデータネットワークにおいて同様の接続を構成することもできる。
以下、ホストコンピュータＨｏｓｔがＩＰＸプロトコルを使用することによりＧＰＲＳ移動ステーションにメッセージを送信し及びそこからメッセージを受信しようとすることを仮定して、本発明を一例として説明する。ＩＰＸプロトコルは、ここでは一例として使用するに過ぎず、以下に述べるルート指定事象は、ＩＰ、Ｘ．２５又はＣＬＮＰプロトコルが端−端プロトコルとして使用されるときにも同様に実施される。又、この例では、オペレータ１のオペレータ内中枢ネットワークがＸ．２５ネットワークに基づき、そしてオペレータ２のオペレータ内中枢ネットワークがＣＬＮＰネットワークに基づき、一方、オペレータ間中枢ネットワークがＩＰプロトコルに基づくと仮定する。この構成の目的は、異なるネットワークに異なるネットワークプロトコルが使用されるのに関わりなくメッセージのルート指定をいかに処理できるかを単に示すものである。
１つのオペレータのＧＰＲＳネットワーク内でのパケットのルート指定
移動ステーションがそのＧＰＲＳホームネットワークに位置しそしてオペレータ間ルート指定が必要とされない時の本発明のルート指定手順について以下に述べる。ここに述べるルート指定の例では、ＩＰＸデータパケットを使用するが、ＩＰ、Ｘ．２５及びＣＬＮＰのような他のプロトコルに関しても、同様のルート指定機構を使用できる。
移動着信（ＭＴ）パケット
図２は、ホストコンピュータＨｏｓｔがＩＰＸメッセージを使用することによりオペレータ１の移動ステーションへＩＰＸパケットを送信するときの移動着信（ＭＴ）パケットのルート指定を示している。ルート指定事象は、図３の信号図にも示されている。以下の説明で使用する番号は、図２及び３に使用されたものに対応する。
１．ホストコンピュータＨｏｓｔは、移動ステーションのＩＰＸアドレスＭＳ−ＩＰＸと、ホストコンピュータのＩＰＸアドレスＨｏｓｔ−ＩＰＸと、データとを含むデータパケットを通常のＩＰＸメッセージ構造を用いることにより送信する。データパケットは、移動ステーションのＩＰＸアドレスを含む。データパケットは、通常のＩＰＸルート指定方法及び移動ステーションのＩＰＸアドレスを使用することにより、ローカルネットワーク、ルータ、ＩＰＸデータネットワーク及びインターワーキングファンクションＩＷＦを経てオペレータ１のゲートウェイサポートノードＧＰＲＳ  ＧＳＮへ送られる。
２．ＧＰＲＳ  ＧＳＮは、受信したＩＰＸパケットを、オペレータ１のオペレータ内中枢ネットワークに使用されるＸ．２５パケットにカプセル封入する。Ｘ．２５パケットには、オペレータ１のホームサポートノードのアドレスＧＰＲＳ−ＨＳＮ１−Ｘ．２５と、ゲートウェイサポートノードのアドレスＧＰＲＳ−ＧＳＮ１−Ｘ．２５とが与えられる。ＧＰＲＳ  ＧＳＮは、オペレータ１のオペレータ中枢ネットワークを経てホームサポートノードＧＰＲＳ  ＨＳＮにＸ．２５パケットを送る。カプセル化のフォーマットは、例えば、以下に詳細に述べるポイント／ポイントプロトコルに使用されるものと同じである。又、ＰＰＰは、カプセル化されたデータパケット（この場合はＩＰＸ）のプロトコル形式を決定するのに使用できる識別フィールドも備えている。ＧＰＲＳ  ＧＳＮは、オペレータ１のオペレータ内中枢ネットワークを経てホームサポートノードＧＰＲＳ  ＨＳＮにＸ．２５パケットを送る。
３．ＧＰＲＳ  ＨＳＮは、Ｘ．２５パケットを受け取り、そして実際の受信器即ち移動ステーションのＩＰＸアドレスＭＳ−ＩＰＸをチェックする。ＧＰＲＳＨＳＮは、移動ステーションのＩＰＸアドレスＭＳ−ＩＰＸによりその内部データベースにおいて移動ステーションのＧＰＲＳローミング番号ＧＰＲＳ−ＭＲＮＢを見つける。ホームサポートノードＧＰＲＳ  ＨＳＮは、必ずしもＩＰＸプロトコル自体を使用したり又はＩＰＸルート指定機構に馴染み易いものである必要はなく、ＩＰＸアドレスと移動ステーションとの間の関連性を知るだけでよい。移動ステーションが他のネットワークアドレス（例えば、ＩＰ、Ｘ．２５及び／又はＣＬＮＰアドレス）を有する場合には、ホームサポートノードのデータベースのマッピングによりローミング番号が同様に見つけられる。最終的に、図２及び３の例では、ＧＰＲＳ  ＨＳＮは、ＩＰＸパケットをＸ．２５パケットにカプセル封入し、Ｘ．２５パケットは、訪問されるサポートノードのアドレスＧＰＲＳ−ＳＮ１−Ｘ．２５と、ホームサポートノード自身のＧＰＲＳ−ＨＳＮ１−Ｘ．２５と、移動ステーションのローミング番号ＧＰＲＳ−ＭＲＮＢ１と、ホームローミング番号ＧＰＲＳ−ＨＲＮＢも含んでいる。ホームローミング番号は、ＧＰＲＳネットワークの移動ステーションのホーム位置レジスタのローミング番号である。次いで、ＧＰＲＳ  ＨＳＮは、カプセル封入されたデータパケットを上記サポートノードＧＰＲＳ  ＳＮに送信する。
４．サポートノードＧＰＲＳ  ＳＮは、Ｘ．２５パケットにカプセル封入されたＩＰＸデータパケットを受け取り、ＩＰＸデータパケットをＧＰＲＳ無線リンクプロトコルデータパケットにカプセル封入し、そしてＧＰＲＳ無線インターフェイスを経て移動ステーションへ送信する。又、ＧＰＲＳパケットは、移動ステーションのＴＬＬＩも含んでいる。無線リンクプロトコルの厳密な実施は、本発明にとって重要ではない。ＧＰＲＳインターフェイスを経てデータパケットを送信する例として、フィンランド特許出願第９５０１１７号を参照されたい。サポートノードＧＰＲＳ  ＳＮは、移動ステーションに使用されるプロトコル（この場合はＩＰＸ）を理解しなくてもよい。
５．移動ステーションは、無線インターフェイスを経てＧＰＲＳパケットを受け取りそしてそこに与えられたＩＰＸパケットを移動ステーションに関連したアプリケーションへ送る。
移動発信（ＭＯ）パケット
図４を参照し、移動ステーションがＩＰＸパケットをホストコンピュータＨｏｓｔへ送信する状態においてＭＯパケットのルート指定を以下に説明する。同じルート指定事象が図５の信号図にも示されている。以下に使用する番号は、図４及び５に使用したものに対応する。
移動ステーションは、それに関連したアプリケーションから、ホストコンピュータのＩＰＸアドレスＨｏｓｔ−ＩＰＸと、移動ステーションのＩＰＸアドレスＭＳ−ＩＰＸと、データとを含む含むＩＰＸパケットを受け取る。
１．移動ステーションは、移動ステーションのＴＬＬＩも含むＧＰＲＳパケットにＩＰＸパケットをカプセル封入する。移動ステーションは、ＧＰＲＳパケットを無線インターフェイスを経てサービスしているサポートノードＧＰＲＳＳＮに送信する。
２．ＧＰＲＳ  ＳＮは、エアインターフェイスを経てＧＰＲＳパケットを受け取り、そしてそこに設けられたＩＰＸパケットをＸ．２５パケットにカプセル封入し、カプセル封入されたＩＰＸパケットの内容を詳細に解読しない。従って、サポートノードＧＰＲＳ  ＳＮは、移動ステーションにより使用されるプロトコルを理解する必要がない。又、ＧＰＲＳ  ＳＮは、ゲートウェイサポートノードのＸ．２５アドレスＧＰＲＳ−ＧＳＮ１−Ｘ．２５と、それ自身のアドレスＧＰＲＳ−ＳＮ１−Ｘ．２５と、移動ステーションのローミング番号ＧＰＲＳ−ＭＲＮＢと、Ｘ．２５パケットのホームローミング番号ＧＰＲＳ−ＨＲＮＢとを含んでいる。その後、ＧＰＲＳ  ＳＮは、Ｘ．２５中枢ネットワークを使用することによりゲートウェイサポートノードＧＰＲＳ  ＧＳＮにＸ．２５パケットをルート指定する。
３．ＧＰＲＳ  ＧＳＮは、Ｘ．２５データパケットを受け取り、そしてカプセル封入されたＩＰＸパケットのプロトコルをチェックする。ＧＰＲＳ  ＧＳＮはＩＰＸプロトコル自体をサポートする（データネットワークに向かって）ので、Ｘ．２５のカプセル封入を剥離し、そして通常のＩＰＸルート指定機構を用いることによりＩＰＸパケットをＩＰＸ遠隔ネットワークを経てホストコンピュータＨｏｓｔへ送信する。
オペレータ間パケットルート指定
移動ステーションがそのＧＰＲＳホームネットワーク内に位置せずそしてオペレータ間ルート指定が要求されるときのパケットデータのルート指定原理を以下に説明する。
移動着信（ＭＴ）パケット
移動ステーションがそのホームネットワークの外側に位置しそしてホストコンピュータＨｏｓｔがＩＰＸメッセージを使用してＩＰＸパケットを移動ステーションへ送信するときのＭＴパケットルート指定を、図６及び７を参照して以下に説明する。
１及び２．ホストコンピュータＨｏｓｔからオペレータ１のゲートウェイサポートノードへのＩＰＸパケットの送信、及びそこから更にホームサポートノードＧＰＲＳ  ＨＳＮへの送信は、図２及び３の場合と同じである。
３．ＧＰＲＳ  ＨＳＮは、Ｘ．２５パケットを受け取り、そして移動ステーションのＩＰＸアドレスＭＳ−ＩＰＸにより実際の受信器をチェックする。ＩＰＸアドレスＭＳ−ＩＰＸにより、ＧＰＲＳ  ＨＳＮは、移動ステーションのＧＰＲＳローミング番号ＧＰＲＳ  ＭＲＮＢを見出す。この場合、移動ステーションは、同じネットワーク内に位置せず、それ故、ＧＰＲＳ  ＨＳＮは、ＩＰＸパケットをＸ．２５パケットにカプセル封入し、そしてＸ．２５パケットをゲートウェイサポートノードＧＰＲＳ  ＧＳＮに送信する。
４．ＧＰＲＳ  ＧＳＮは、他のオペレータのゲートウェイサポートノードＧＰＲＳ  ＧＳＮのアドレスを含む。ＧＰＲＳ  ＧＳＮは、移動ステーションのローミング番号ＧＰＲＳ  ＭＲＮＢをチェックし、そしてＩＰＸパケットをＩＰパケットでカプセル封入し、このＩＰパケットは、オペレータ２のゲートウェイサポートノードのＩＰアドレスＧＰＲＳ−ＧＳＮ２−ＩＰと、それ自身のＩＰアドレスＧＰＲＳ−ＧＳＮ１−ＩＰと、移動ステーションのローミング番号ＧＰＲＳ−ＭＲＮＢと、ホームローミング番号ＧＰＲＳ−ＨＲＮＢも含んでいる。その後、ＧＰＲＳ  ＧＳＮは、オペレータ間中枢ネットワークを経てオペレータ２のゲートウェイサポートノードＧＰＲＳ  ＧＳＮへＩＰパケットを送信する。
５．オペレータ２のＧＰＲＳ  ＧＳＮは、ＩＰパケットにおける元のＩＰＸパケットのカプセル封入を剥離し、それをＣＬＮＰパケットに再カプセル封入し、このＣＬＮＰパケットは、移動ステーションが位置するサポートノードＧＰＲＳＳＮのアドレスＧＰＲＳ−ＳＮ２−ＣＬＮＰと、ゲートウェイサポートノード自身のアドレスＧＰＲＳ−ＧＳＮ２−ＣＬＮＰと、移動ステーションのローミング番号ＧＰＲＳ−ＭＲＮＢと、ホームローミング番号ＧＰＲＳ−ＨＲＮＢも含んでいる。次いで、オペレータ２のＧＰＲＳ  ＧＳＮは、オペレータ内中枢ネットワーク（ＣＬＮＰ）を経てサポートノードＧＰＲＳ  ＳＮへＣＬＮＰパケットを送る。
６．ＧＰＲＳ  ＳＮは、ＩＰＸパケットのカプセル封入を剥離し、そしてそれをＧＰＲＳパケットに再カプセル封入し、このＧＰＲＳパケットは、移動ステーションのＴＬＬＩも含んでいる。ＧＰＲＳ  ＳＮは、無線インターフェイスを経て移動ステーションへＧＰＲＳパケットを送信する。
７．移動ステーションは、無線インターフェイスを経てＧＰＲＳパケットを受け取り、そしてＩＰＸパケットのカプセル封入を剥離する。その後、移動ステーションは、ＩＰＸパケットをそれに関連したアプリケーションへ送る。
移動ステーションのローミング番号ＣＰＲＳ−ＭＲＮＢ及びホームローミング番号ＧＰＲＳ−ＨＲＮＢは、パケットと共に、ＧＰＲＳ  ＨＳＮとオペレータ２のＧＰＲＳ  ＳＮとの間の全ての距離に送られる。これらの番号に基づいて、ルートに沿って設けられた各ノードは、各ネットワークのプロトコル及びアドレスにより送られるパケットをルート指定することができる。
移動発信（ＭＯ）パケット
ＭＯパケットを処理するために次の３つの方法がある。
−  訪問されるＧＰＲＳシステムは、移動ステーションのプロトコルをサポートする。
−  訪問されるＧＰＲＳシステムは、移動ステーションのプロトコルをサポートせず、そしてデータは、移動ステーションのホームＧＰＲＳ  ＧＳＮを経てルート指定される。
−  訪問されるＧＰＲＳシステムは、移動ステーションのプロトコルをサポートせず、そしてデータは、第三者のＧＰＲＳ  ＧＳＮを経てルート指定される。
訪問されるオペレータが移動ステーションのプロトコルをサポートする：
移動ステーションがそのホームネットワークの外側に位置しそして訪問されるネットワークが移動ステーションのプロトコルを理解するときのＭＯパケットのルート指定を図８及び９について以下に説明する。この例では、移動ステーションは、ＩＰＸパケットをホストコンピュータＨｏｓｔに送信する。
移動ステーションは、それに関連したアプリケーションからＩＰＸパケットを受け取る。
１．移動ステーションは、移動ステーションのＴＬＬＩも含むＧＰＲＳパケットでＩＰＸパケットをカプセル封入する。移動ステーションは、無線インターフェイスを経てオペレータ２のサービスしているサポートノードＧＰＲＳ  ＳＮにＧＰＲＳパケットを送信する。
２．ＧＰＲＳ  ＳＮは、ＧＰＲＳパケットを受け取り、そしてＩＰＸパケットの内容を解釈せずにＣＬＮＰパケットでＩＰＸパケットをカプセル封入する。その後、ＧＰＲＳ  ＳＮは、オペレータ２のオペレータ内中枢ネットワーク（ＣＬＮＰ）を使用することによりオペレータ２のゲートウェイサポートノードＧＰＲＳ  ＧＳＮへＣＬＮＰパケットを送る。オペレータ２の訪問されるサポートノードＧＰＲＳ  ＳＮは、移動ステーションによりサポートされるプロトコルをシステムがサポートするかどうか知る必要がない。というのは、ゲートウェイサポートノードＧＰＲＳ  ＧＳＮに送られるパケットの構造が全ての場合に同じからである。
３．ＧＰＲＳ  ＧＳＮは、ＣＬＮＰパケットを受け取り、そしてＩＰＸパケットのカプセル封入を剥離する。ＧＰＲＳ  ＧＳＮは、データネットワーク自体に向かってＩＰＸプロトコルをサポートするので、通常のＩＰＸルート指定機構を使用することにより、ＩＰＸネットワークを経てホストコンピュータＨｏｓｔへＩＰＸパケットを送信する。
訪問されたネットワークが移動ステーションのプロトコルをサポートしない：
移動ステーションがそのホームネットワークの外側に位置しそして訪問されたネットワークが移動ステーションのプロトコルをサポートせず、その結果、オペレータ１を経てパケットをルート指定しなければならないときのＭＯパケットのルート指定を図１０及び１１について以下に説明する。この例において、移動ステーションは、ＩＰＸパケットをホストコンピュータへ送信する。
１及び２．これらの段階は、図８及び９の段階１及び２と同じである。
３．ＧＰＲＳ  ＧＳＮは、ＣＬＮＰパケットを受け取り、そしてＩＰＸパケットのプロトコルをチェックする。ＧＰＲＳ  ＧＳＮは、データネットワーク自体に向かってＩＰＸプロトコルをサポートしないので、元のＩＰＸパケットをＩＰパケットにカプセル封入し、これが、オペレータ１のゲートウェイサポートノードＧＰＲＳ  ＧＳＮへ送られる。
４．オペレータ１のＧＰＲＳ  ＧＳＮは、ＩＰパケットにカプセル封入されたＩＰＸパケットを受け取り、そしてそのプロトコルをチェックする。オペレータ１のＧＰＲＳ  ＧＳＮは、データネットワーク自体に向かってＩＰＸプロトコルをサポートするので、カプセル封入を剥離し、そして元のＩＰＸパケットをＩＰＸネットワークを経てホストコンピュータＨｏｓｔへ送信する。
又、パケットは、例えば、勘定又は保安の理由でオペレータ１のネットワークを経て強制的にルート指定することもできる。
訪問されるオペレータが移動ステーションのプロトコルをサポートしない：
第三者のゲートウェイを経てのルート指定
移動ステーションがそのホームネットワークの外側に位置しそして訪問されたネットワークが移動ステーションのプロトコルを理解せず、その結果、パケットが第三者のＧＰＲＳネットワークを経てルート指定されるときのＭＯパケットのルート指定を図１２及び１３について以下に説明する。この例では、移動ステーションは、ＩＰＸパケットをホストコンピュータへ送信する。
１及び２．これらの段階は、図８及び９の段階１及び２と同じである。
３．オペレータ２のＧＰＲＳ  ＧＳＮは、ＣＬＮＰパケットを受け取り、そしてカプセル封入されたＩＰＸパケットのプロトコルをチェックする。ＧＰＲＳ  ＧＳＮは、データネットワーク自体に向かってＩＰＸプロトコルをサポートしないので、元のＩＰＸパケットをＩＰパケットにカプセル封入し、そしてＩＰパケットをオペレータ３のゲートウェイサポートノードＧＰＲＳ  ＧＳＮへ送る。というのは、オペレータ２は、ＩＰＸパケットを送るようにオペレータ３と合意しているからである。
４．オペレータ３のＧＰＲＳ  ＧＳＮは、ＩＰパケットにカプセル封入されたＩＰＸパケットをオペレータ間中枢ネットワークを経て受け取り、そしてカプセル封入されたＩＰＸパケットのプロトコルをチェックする。このＧＰＲＳＧＳＮは、データネットワーク自体に向かいＩＰＸプロトコルをサポートするので、そのカプセル封入を剥離し、そして元のＩＰＸパケットをＩＰＸネットワークを経てホストコンピュータＨｏｓｔへ送信する。
上記の方法は、例えば、以下の状態においてパケットのルート指定を簡単化する。フィンランドのオペレータの移動ステーションがドイツに訪問してドイツのホストコンピュータＨｏｓｔと通信し、そして訪問されたＧＰＲＳネットワークがその移動ステーションのプロトコルをサポートしない場合には、本発明の方法により、移動発信パケットの場合にオペレータ間中枢ネットワークにおけるドイツとフィンランドとの間の前後トラフィックを回避することができる。というのは、ＩＰＸプロトコルをサポートする別のドイツＧＰＲＳオペレータを経てホストコンピュータへパケットをルート指定することができるからである。
上記したように、ＧＰＲＳネットワークにおいてデータパケットをカプセル封入するのに適したプロトコルは、インターネットアーキテクチャーボード（ＩＡＢ）の規格ＲＦＣ１６６１及び１６６２に規定されたポイント／ポイントプロトコル（ＰＰＰ）である。ＰＰＰは、ＩＳＯ−３３０９−１９７９高レベルデータリンク制御（ＨＤＬＣ）手順の原理、用語及びフレーム構造を使用する。ＧＰＲＳネットワークにＰＰＰプロトコルを使用しそしてＧＰＲＳプロトコルにより無線インターフェイスを経てパケットを転送する１つの解決策は、出願中のフィンランド特許出願第９５０１１７号に開示されている。
添付図面及びそれを参照した以上の説明は、本発明を単に例示するものに過ぎない。本発明は、請求の範囲内でその細部を種々変更し得る。
【図１】
0003684387.tif 000002
【図２】
0003684387.tif 000003
【図３】
0003684387.tif 000004
【図４】
0003684387.tif 000005
【図５】
0003684387.tif 000006
【図６】
0003684387.tif 000007
【図７】
0003684387.tif 000008
【図８】
0003684387.tif 000009
【図９】
0003684387.tif 000010
【図１０】
0003684387.tif 000011
【図１１】
0003684387.tif 000012
【図１２】
0003684387.tif 000013
【図１３】
0003684387.tif 000014